(57)【特許請求の範囲】
【請求項１】
吸収体を備えた衛生用品の該吸収体の表面を覆う液不透過性材料からなる不透明な樹脂フィルムを用いた表面材であって、
前記吸収体側に配される面側に突出して形成された、壁部と底部とよりなる多数の凹陥部を有し、且つ該凹陥部の前記底部の一部分のみに、それぞれ液透過用の開孔が形成されており、
前記凹陥部は、突出した面側に凸の球面状に形成されていることを特徴とする衛生用品の表面材。
【請求項２】
前記開孔が前記底部の中央部分に形成されていることを特徴とする請求項１記載の衛生用品の表面材。
【発明の詳細な説明】
【０００１】
【産業上の利用分野】
本発明は、衛生用ナプキン、オムツ等の衛生用品の表面材、特に、使い捨て衛生用品の表面材に関する。
【０００２】
【従来の技術】
一般に、衛生ナプキン、オムツ等の吸収性物品は、血液、尿等の液を吸収する吸収体と、該吸収体の表面を覆い人体表面の肌に当てられる表面材と、吸収体の裏面を覆い液漏れを防ぐ裏面材とから構成されている。
【０００３】
そして、上記表面材は、肌側の血液、尿等を吸収体へ移行させて、該吸収体へ吸収させるため、血液、尿等の液を透過させる液透過性と一度吸収体に吸収された液を肌側に戻さない液戻り防止性とが要求されている。
【０００４】
【発明が解決しようとする課題】
このような液戻り防止性を向上させるため、従来、表面材に開孔を形成した疎水性シートを表面材として用いる技術（実開昭５４−１２４３９８号公報、特開昭５７−１３４０号公報、特開昭６１−４５７５３号公報）や毛細管構造を有する有孔フィルム（特公昭５７−１７０８１号公報、特開昭６０−２５９２６１号公報、特開平１−２４９０５２号公報）が提案されているが、これらの技術は充分な液透過性を与えるために開孔面積を大きくしようとすると、大きな開孔部分を通して吸収体が目視されるために遮蔽性が悪く、使用者に視覚的不快感を与えるという問題点がある。
【０００５】
一方、遮蔽性を良くするために開孔面積を小さくすると、液通過性が悪くなり、人体との接触点で表面湿潤状態が長く続き、使用者に不快感を与えるという問題点がある。
【０００６】
従って、本発明の目的は、表面乾燥状態の維持に優れ、且つ遮蔽性にも優れた衛生用品の表面材を提供することにある。
【０００７】
【課題を解決するための手段】
本発明は、吸収体を備えた衛生用品の該吸収体の表面を覆う液不透過性材料からなる不透明な樹脂フィルムを用いた表面材であって、前記吸収体側に配される面側に突出して形成された、壁部と底部とよりなる多数の凹陥部を有し、且つ該凹陥部の前記底部の一部分のみに、それぞれ液透過用の開孔が形成されており、前記凹陥部は、突出した面側に凸の球面状に形成されていることを特徴とする衛生用品の表面材を提供することにより、上記目的を達成したものである。
【０００８】
【作用】
本発明の衛生用品の表面材を用いた吸収性物品によれば、表面材の肌側の液は、表面材に形成された凹陥部の底部の一部のみに形成された開孔により、表面材を通過して吸収体側へスムーズに流れ、人体と表面材との間で表面乾燥状態を維持する。
【０００９】
一方、吸収体側にある液、即ち吸収体に吸収された液は、開孔が底部の一部のみに形成されていることにより目視し難くなる。
【００１０】
【実施例】
以下に添付図面を参照して、本発明の衛生用品の表面材を詳細に説明する。図１乃至図３は、本発明の第１参考例を示す図で、図４乃至図６は、本発明の第２参考例を示す図である。これらの参考例の表面材は、図示の通り、凹陥部及び開孔の構成が本発明の表面材とは異なる以外は、本発明の表面材と同じである。従って、これらの参考例の説明において、本発明の表面材と同じ点の説明は、後述の本発明の実施例の説明に適宜適用される。図７及び図８は、本発明の実施例を示す図である。
【００１１】
まず、図１乃至図３を参照して本発明の第１参考例について説明する。
【００１２】
第１参考例の表面材１は、吸収体を備えた衛生用品の該吸収体の表面を覆う液不透過性材料からなる表面材であって、吸収体側に配される面側Ａに突出して形成された壁部１２ａ、１２ｂと底部１３ａ、１３ｂとよりなる凹陥部１０を有しており、該凹陥部１０には、２個の液透過用の開孔１４ａ、１４ｂが形成されている。
この凹陥部１０は、従来の表面材と同様に、全体に亘って均一に分布するように多数形成され且つ隣接する凹陥部１０同士の間隔が凹陥部１０の口径と略同程度となる寸法に設定されている。
【００１３】
第１参考例では、図１及び図２に示すように、凹陥部１０は、二股形状に凹んで形成されている。二股に別れた円筒状の壁部１２ａ、１２ｂは互いにＶ字形状を形成するように、斜めに延出されており、その先端部に開孔１４ａ、１４ｂが形成されている。これらの一対の開孔１４ａ、１４ｂは、略楕円形状に形成されている。そして、円筒状の壁部１２ａ、１２ｂとの間の中央部１５は、表面からわずかに窪んで略帯状に形成されている。
【００１４】
表面材１は、吸収体に吸収された液等について隠蔽性を付与するため不透明であり、また、液不透過性材料として樹脂フィルムが用いられる。
【００１５】
樹脂フィルム層の肉厚は３μ〜５０μであることが好ましく、樹脂フィルムとしては、例えば、ポリオレフィン、オレフィンと他のモノマーの共重合樹脂、合成樹脂及びこれらのブレンドポリマーなどが挙げられる。
【００１６】
底部３に形成される開孔１４ａ、１４ｂの面積の割合（以下、開孔面積率という）は凹陥部１０の開口に対して８０％未満が好ましく、表面材上方からみたときの表面材全面積に対する開孔部分の面積は５０％未満であることが好ましい。開孔面積率８０％以上又は表面材全面積に対して５０％以上であると、視覚による遮蔽性に劣るからである。
【００１７】
尚、凹陥部１０の開孔の大きさは、頂部で測定して０．１〜５０mm2程度であることが好ましい。凹陥部１０内に吸収すべき液を保持し、人体から速やかに隔離するためには、凹陥部内で頂部の成す平面から垂直方向に最も距離のある点と頂部との距離は、０．２〜３．０mmであることが好ましい。また、凹陥部１０の単位面積あたりの個数は、４個／cm2乃至８０個／cm2が好ましく、第１参考例では約２０個／cm2である。
【００１８】
次に、第１参考例にかかる表面材の好ましい製造方法について説明する。この第１参考例にかかる表面材は、図３に示すように、円形形状の孔１５が複数形成された２枚のプレート１６ａ、１６ｂを重ね、互いに孔が一部づつ重なるように、該プレート１６ａ、１６ｂをずらして配置し、シート状態のフィルムを加熱溶融、もしくはＴダイより溶出した樹脂フィルムを所定の孔形状のプレートもしくはロール上に載せ、フィルムにエアその他流体を吹き付け、若しくは、フィルムを吸引することによって該シートを形成する。
【００１９】
次に、第１参考例による衛生用品の表面材の動作について説明する。
生理用ナプキンの表面材として第１参考例の表面材を用いた場合、表面材１上の液（人体の肌側の液）は凹陥部１０内に入り、底部１３ａ、１３ｂに形成された開孔１４ａ、１４ｂから吸収体（図示せず）に吸収される。この場合、凹陥部１０に導入された液は底部１３ａ、１３ｂの開孔１４ａ、１４ｂに素早く導入され、通過するので、人体に接触する表面材１の頂部１ａを常時、表面乾燥状態に維持する。
【００２０】
そして、底部１３ａ、１３ｂの一部のみに開孔１４ａ、１４ｂを形成しているため、通過した液または通過して吸収体に吸収された液は、外部から見難くなり、隠蔽性が保持される。
【００２１】
また、開孔１４ａ、１４ｂは底部１３ａ、１３ｂの一部のみであるから、表面材１における凹陥部１０の形状保持性に優れているので、容易に潰れたりせず、圧力下での吸収液の液戻り抑制力が向上する。従って、開孔部分の面積効率を小さくすることによって、凹陥部の成型保持性を良くし、圧力下での吸収液の液戻り抑制力を向上することができる。
【００２２】
更に、表面材１に凹陥部１０を形成するために、表面材１自身が肌に接する部位が少ないので、表面のべとつき感をすくなくすることができる。
【００２３】
次に、前述した図１乃至図３に示す第１参考例及び図４乃至図６を参照して、本発明の第２参考例について説明する。尚、第２参考例において、特に詳述しない点については、前記第１参考例における説明が適宜適用される。
【００２４】
第２参考例では、図４乃至図６に示すように、頂部１ａと壁部２２とは折曲線２１により境界が形成されている。壁部２２と底部２３とは明確な区別はないが、壁部は凹陥部２０に垂直な方向の部分であり、底部はこれに交差する部分である。尚、頂部１ａは、凹陥部２０の形成されていない部分、即ち、表面材１の非凹陥部をいう。
【００２５】
各底部２３には、その一部分に、所定寸法の開孔２４が、底部２３を横断するように、帯状に形成されている。
【００２６】
このような第２参考例の表面材１は、例えば、特公平１−２４８５２４号、特公平２−１６２２６８号に開示されているような通常の方法により製造される。即ち、不透過性シートを、凹陥部２０に対応した形状の凸部を有する押し型が形成されたロールと、凸部に嵌合する押し型が形成されたロールとの間に流して、両押し型を嵌合させるのである。このとき、押し型がシートに凹陥部２０を形成するとともにシートに剪断力を付与して開孔２４を形成する。
【００２７】
他の製造方法としては、シート状態のフィルムを加熱溶融、もしくはＴダイより溶出した樹脂フィルムを所定の孔形状のプレートもしくはロール上に載せ、フィルムにエア等の流体を吹き付け、若しくは、フィルムを吸引することによって凹陥部を形成し、同時に開孔部を形成する。また、パンチング等の機械的な力を加えることによって凹陥部の成型、開孔の穿孔を行ってもよい。このとき、フィルム等を熱その他の方法により軟化させて成型、穿孔を行い易くすることが好ましい。
【００２８】
前述した図１乃至図３に示す第１参考例、図４乃至図６に示す第２参考例並びに図７及び図８を参照して、本発明の実施例について説明する。尚、本発明の実施例において、特に詳述しない点については、前記第１参考例及び前記第２参考例における説明が適宜適用される。
本発明の実施例では、図７及び図８に示すように、第２参考例と異なり、凹陥部３０が四角錐台形状でなく、球面状に形成されている。また、開孔３４は、底部３３の略中央部に円形形状に形成されている。この場合、頂部１ａと壁部３２、壁部３２と底部３３とは連続して変化しており、明確な区別ができない。本発明は、このような区別を必ずしも明確にすることを必要としないことは言うまでもないが、図７及び図８に示すような形状の凹陥部３０の底部３３については、次のように定義することができる。底部３３とは、凹陥部３０における最深部３５を含む部分で、且つ凹陥部３０のある部分３６における接線Ｘと頂部１ａを含む平面Ｙとのなす角度αが３０°未満の部分３３をいう（図８参照）。この実施例によれば第２参考例と同様な効果を得ることができる。
【００２９】
【００３０】
【００３１】
本発明は、上述した実施例に限定されず、本発明の要旨を逸脱しない範囲で種々変形可能である。
例えば、底部に形成される開孔は、各底部夫々に１つ又は２つに限らず、３つ以上であってもよい。
【００３２】
【発明の効果】
本発明の衛生用品の表面材は、表面乾燥状態の維持に優れ、且つ遮蔽性にも優れる。
更に、肌に接する部位が少ないので表面のべとつき感がない。
【図面の簡単な説明】
【図１】    本発明の第１参考例による表面材の平面図。
【図２】    第１参考例による表面材の凹陥部の断面図。
【図３】    第１参考例による表面材の製造に用いられるプレートの平面図。
【図４】    本発明の第２参考例の斜視図。
【図５】    図４に示す凹陥部を示した斜視図。
【図６】    図４に示す凹陥部の断面図。
【図７】    本発明の実施例による表面材の凹陥部の斜視図、
【図８】    図７に示す凹陥部の断面図。
【符号の説明】
１  表面材
１２ａ，１２ｂ，２２，３２  壁部
１３ａ，１３ｂ，２３，３３  底部
１４ａ，１４ｂ，２４，３４  開孔
１０，２０，３０  凹陥部
【図１】
0003696063.tif 000002
【図２】
0003696063.tif 000003
【図３】
0003696063.tif 000004
【図４】
0003696063.tif 000005
【図５】
0003696063.tif 000006
【図６】
0003696063.tif 000007
【図７】
0003696063.tif 000008
【図８】
0003696063.tif 000009